【手続補正書】
【提出日】平成25年11月25日(2013.11.25)
【手続補正１】
【補正対象書類名】明細書
【補正対象項目名】０００７
【補正方法】変更
【補正の内容】
【０００７】
特許文献１は、一種の弾性圧力装置付の処理ボックスを公開している。感光ドラムに弾性圧力装置が設置されているため、当該弾性圧力装置は、動力受力部をのより安定的な駆動力の受け入れを促し、しかも当該感光ドラムの回転軸方向に当該動力受部の動作空間を確保することができる。これにより感光ドラムの回転軸方向において、動力受力用一定の活動空間を確保し、動力受力部は画像形成装置の駆動機構に抵向して，トナーカートリッジが、感光ドラム軸方向に垂直して装着できるだけでなく、さらに動力受力部と感光ドラムとの間の同軸回転の伝動の安定性を高める。構造のシンプル化を実現することができる。また、動力受力部は感光ドラムの片側において装着・取り外すことができるため、感光ドラムのメンテナンスも便利になり、しかも感光ドラム本体をそのままで、画像形成装置の種類に応じて動力受力部だけ選択できるため、感光ドラムを交換する必要もなく、動力受力部だけを交換し、製造コストや使用コストを削減することもできる。しかし、弾性圧力装置により動力受力部は画像形成装置の駆動機構と咬合してから咬合が解消される時まで常に圧力を受けつづける、画像形成装置の内部空間が限られ、咬合開始時と咬合解消時に動力受力部を画像形成装置の駆動機構と一直線に保つことはできない。そうなると、動力受力部と画像形成装置の駆動部は咬合開始時と咬合解消時に必然的に折角による摩擦損傷が増え、両者の咬合に支障をきたしてしまう。
【手続補正２】
【補正対象書類名】明細書
【補正対象項目名】０００８
【補正方法】変更
【補正の内容】
【０００８】
本発明は、従来の処理ボックスにおける動力受部と画像形成装置の駆動機構との咬合時および咬合解消時に曲げ角度があると、摩擦損傷による両者の咬合への支障が起きやすいという技術的課題を解決できる処理ボックスを提供するものである。
処理ボックス殻体、処理ボックス殻体に内蔵された感光センサー、感光センサーと接続し、感光センサーに動力を提供する動力受部、前記動力受部を感光センサーの軸方向に伸縮させる伸縮機構と伸縮機構の伸縮を制御する制御機構を含み、前記伸縮機構の伸縮を制御する制御機構からなる一種の処理ボックスである。
前記制御機構は、第１弾性部品と前記処理ボックス殻体の上の動力受部側にある押し棒を含み、前記押し棒は前記伸縮機構と接続し、前記第１ばねの一端が押し棒と接続し、他端が処理ボックス殻体と接続する。
前記押し棒の一端には開口があり、前記押し棒の開口付の片側には推出面と縮込面が設置されており、前記推出面と縮込面は、感光ドラムの軸方向において高度差を持ち、前記動力受部の上には前記推出面或いは縮込面によって支持される支持台が設置されている。
前記制御機構は、電磁弁と、電磁弁に電気を供給する電源と、前記電源を電磁弁に必要な電気に変換する電気回路を含む。前記電磁弁は、前記処理ボックスの殻体に固定され、前記伸縮機構は前記電磁弁と協働するＡ芯と軸を含み、前記Ａ芯と軸は一体化したもので、前記動力受部は前記軸の一端に設置されており、前記Ａ芯の一端は感光センサーと接続して後者に動力を伝達する。
前記電磁弁はシングルコイル電磁弁である。
前記制御機構は、一端が前記伸縮機構と接続し、他端が引っ張り力を受ける引っ張りコードを含み、前記引っ張りコードは処理ボックスの殻体上に設置されている。
前記制御機構は、ダブルコイル型電磁弁と、電磁弁に電気を供給する電源と、前記電源を電磁弁に必要な電気に変換する電気回路を含む。前記電磁弁に、第１コイル、第２コイル、磁石が設置されている。前記電磁弁は、前記処理ボックスの殻体上に固定されており、前記伸縮機構はさらに前記電磁弁と協働するＡ芯と軸を含む。前記Ａ芯と軸は一体化したもので、前記動力受部は前記軸の一端に設置されており、前記Ａ芯の一端が感光センサーと接続して後者に動力を伝達する。
前記感光センサーと前記処理ボックス殻体とは、スライドせず、前記伸縮機構の一端が感光センサーと接続し、他端が前記動力受部と接続する。
前記感光センサーは動力受部と常時接続し、前記伸縮機構の一端が処理ボックスの殻体と、他端が感光センサー或いは動力受部と接続する。
前記伸縮機構は、感光センサーに設置されたガイド溝と動力受部に設置されたガイド棒を含み、前記ガイド棒は前記ガイド溝に沿ってスライドすることができる。
前記伸縮機構にさらに伝導部が、前記感光センサーにさらに受力部が設置されており、前記動力受部と感光センサーは前記伝導部と受力部との咬合を通じて動力を伝達する。
前記受力部は、複数設置されており、前記伝導部は前記受力部の間の鋼板の間に設置されている。
前記感光センサー或いは動力受部は処理ボックスの殻体の上で支持され、前記感光センサーと動力受部は前記処理ボックスの殻体に沿ってスライドすることができる。
前記処理ボックスの殻体の上にはさらにシャフトピンと支柱が設けられ、前記感光センサーの両端は其々処理ボックスの殻体上のシャフトピンと支柱によって支持され、前記感光センサーは前記シャフトピンと支柱と対応してスライドすることができる。
前記伸縮機構は、第２弾性部品を含み、前記第２弾性部品は前記動力受部と感光センサーの間に設置されている。
前記伸縮機構は、第２弾性部品を含み、前記第２弾性部品は前記動力受部と処理ボックスの殻体との間に設置されている。
前記第２弾性部品は一種の引張ばねである。
上記技術的手段を採用した場合、伸縮機構の伸縮を制御する制御機構を増設したため、動力受部が画像形成装置の駆動機構と咬合開始時および咬合解消時に、制御機構で伸縮機構の伸縮を制御するだけで動力受部の伸縮を調整できるため、動力受部と画像形成装置の駆動機構との咬合開始時および咬合解消時に、一直線の状態で行うことができ、折角の時の摩擦損失による両者の咬合への支障を防ぐことができる。従来の処理ボックスの動力受部と画像形成装置の駆動機構が咬合開始時および咬合解消時に折角がある時に発生する摩擦損傷による両者への支障が起きやすいという技術的課題を解決した。  また、制御機構はさらに机械制御と電磁弁制御の両方を採用しており、必要に応じてより安全かつ安定した機械制御を採用したり、自動化の必要があれば電磁弁制御を採用することもできる。さらに多数の安定性の高い伸縮機構を用意しており、伸縮機構の安定性の大幅な向上を実現した。
【手続補正３】
【補正対象書類名】明細書
【補正対象項目名】０００９
【補正方法】変更
【補正の内容】
【０００９】
【図１】本発明に係る実施例１の処理ボックスの斜視図である。
【図２】図１に示す処理ボックスを分解したときの状態を示す説明図である。
【図３】本発明に係る実施例１の感光センサーと処理ボックス動力受部の接続機構の斜視図である。
【図４】本発明に係る実施例１の受力部間に鋼板がない時に、処理ボックスの動力受部と画像形成装置の駆動機構が咬合する過程において生じ得る限界位置１の斜視図である。
【図５】本発明に係る実施例１の受力部間に鋼板がない時に、処理ボックスの動力受部と画像形成装置の駆動機構が咬合する過程において生じ得る限界位置２の斜視図である。
【図６】図１に示す処理ボックスの動力受部と押し棒との間の作用を示す説明図であり、動力受部が縮込した状態である。
【図７】図１に示す処理ボックスの動力受部と押し棒との間の作用を示す説明図であり、動力受部が伸出した状態である。
【図８】押し棒が押さえつけられ、動力受部が伸出した状態にある図１に示す処理ボックスのＡ−Ａ断面図である。
【図９】押し棒が押さえつけられてなく、かつ動力受部が縮込した状態にある図１に示す処理ボックスのＡ−Ａ断面図である。
【図１０】図１に示す処理ボックスの動力受部の斜視図である。
【図１１】図１に示す処理ボックスの動力受部に押付機構を装着した後の立体図である。
【図１２】図１に示す処理ボックスの感光センサーに動力受部を装着していない時の斜視図である。
【図１３】本発明に係る実施例２において押し棒が感光センサーと動力受部の伸縮を駆動する状態を示す説明図である。
【図１４】本発明に係る実施例２の感光センサーの引張ばね端の部分拡大図である。
【図１５】本発明に係る実施例３において電源を入れた状態の動力受部と駆動機構との接続状態を示す説明図である。
【図１６】本発明に係る実施例３において電源をオフにした状態の動力受部と駆動機構との未接続状態を示す説明図である。
【図１７】本発明に係る実施例３における一つの電気回路を示す説明図である。
【図１８】本発明に係る実施例３における別の電気回路を示す説明図である。
【図１９】本発明に係る実施例４において電源を入れた状態の動力受部と駆動機構との接続状態を示す説明図である。
【図２０】本発明に係る実施例４において電源をオフにした状態の動力受部と駆動機構との未接続状態を示す説明図である。
【図２１】本発明に係る実施例４における一つの電気回路を示す説明図である。
【図２２】本発明に係る実施例５の断面図である。
【図２３】本発明に係る実施例５の動力受部の斜視図である。
【図２４】本発明に係る実施例６の感光センサーの動力伝導機構を分解した状態を示す説明図である。
【図２５】本発明に係る実施例６の感光センサーの動力伝導機構の端蓋の斜視図である。
【図２６】本発明に係る実施例６の感光センサーの動力伝導機構の断面図である。
【図２７】本発明に係る実施例６の感光センサーの動力伝導機構における位置決めリングとガイドスリーブを分解した状態を示す説明図である。
【図２８】本発明に係る実施例６の感光センサーの動力伝導機構の動力受部と画像形成装置の駆動機構が咬合する前のトナーカートリッジ構造の部分断面図である。
【図２９】本発明に係る実施例６の感光センサーの動力伝導機構の動力受部と画像形成装置の駆動機構が咬合した後のトナーカートリッジ構造の部分断面図である。
【図３０】本発明に係る実施例６の感光センサーの動力伝導機構の感光センサーのハブの斜視図である。
【図３１】感光センサーのハブに位置する本発明に係る実施例６の感光センサーの動力伝導機構の動力受部の斜視図である。
【手続補正４】
【補正対象書類名】明細書
【補正対象項目名】００１１
【補正方法】変更
【補正の内容】
【００１１】
図６、図７は、動力受部と押し棒との間の作用を示す図であり、このうち図６に示す状態は動力受部の縮込した状態で、図７に示す状態は動力受部の伸出した状態である。図６、図７に示すように、押し棒１３の上には推出面１３ａ及び縮込面１３ｂが設置されており、推出面１３ａと縮込面１３ｂはそれぞれ押し棒１３の縦方向、即ちＸ方向、および動力受部の軸方向、即ちＹ方向に平行にずらして設置される。推出面１３ａは縮込面１３ｂとＹ方向において高度差がある。Ｘ方向に平行する方向では推出面１３ａが上流に位置し、Ｙ方向に平行する方向では、縮込面１３ｂが上流に位置する。推出面１３ａと縮込面１３ｂは傾斜面１３ｃを介して相互に接続する。図６に示すように、押し棒１３が押しつけられていない時、縮込面１３ｂは動力受部の軸上方向に動力受部１２の支持台１２ａを支持し、動力受部は縮込状態にある。図７に示すように、押し棒１３が力Ｆによって押しつけられていると、押し棒１３はＸ方向に沿って動作し、その間、傾斜面１３ｃの力で、動力受部の支持台１２ａが縮込面１３ｂによって支持される状態から推出面１３ａによって支持される状態へ移行し、その移行過程において、動力受部１２がＹ方向に沿って伸出し、画像形成装置の駆動機構２０と咬合する。力Ｆがなくなると、押し棒１３は再び図６に示す状態に戻る。
【手続補正５】
【補正対象書類名】明細書
【補正対象項目名】００１５
【補正方法】変更
【補正の内容】
【００１５】
次に動力受部１２と感光センサー１１との接続関係および伝動プロセスについて説明する。図１０、図１１、図１２、図１３に示すように、動力受部１２上には伝導部１２ｂ、ガイド棒一１２ｃ、ガイド棒二１２ｄがあり、伝導部１２ｂはガイド棒二１２ｄの上に設置される。感光センサー１１のハブ１１ａの上には受力溝１１ｂ、ガイド溝一１１ｃ、ガイド溝二１１ｄ、鋼板１１ｅ、および複数の受力部１１ｆが設置されている。ガイド溝二１１ｄは受力部１１ｆの側壁に設けられ、伝導部１２ｂは受力部１１ｆと咬合するように受力溝１１ｂに設置されている。動力受部１２と感光センサー１１は当該伝導部１１ｂを通じて受力部１１ｆと伝導する。動力受部１２が回転すると、伝導部１２ｂは受力部１１ｆの受力と抵接し、動力受部１２は伝導部１２ｂを通じて動力を感光センサー１１に伝導し、感光センサー１１の回転を駆動する。
【手続補正６】
【補正対象書類名】明細書
【補正対象項目名】００２０
【補正方法】変更
【補正の内容】
【００２０】
上記実施例１において、動力受部１２に限って押し棒１３の駆動によりその軸方向に伸縮して画像形成装置上の駆動機構２０と咬合したり、咬合を解消することができる。本実施例における伸縮機構でも、動力受部１２と感光センサー１１が一体化し、動力受部１２が感光センサー１１とともに伸縮する方法で、押し棒１３で動力受部１２と画像形成装置上の駆動機構２０との咬合と咬合の解消を制御する手段を取ることができる。実施例１と同じ構造を持つ部分（制御機構等）についてはここでの説明を省略する。
【手続補正７】
【補正対象書類名】明細書
【補正対象項目名】００２４
【補正方法】変更
【補正の内容】
【００２４】
本実施例では、動力受部の収縮は機械的な押し付け方法に限らず、さらに電気的な手段で動力受部の収縮を制御することもできる。制御機構の具体的な仕組みは次のとおり。
【手続補正８】
【補正対象書類名】明細書
【補正対象項目名】００２７
【補正方法】変更
【補正の内容】
【００２７】
本実施例における電磁弁の電源は画像形成装置と接続し、電磁弁の動作電圧と動作電流はいずれも低いため、電気回路に一つの減圧増流を実現できる変圧器を追加する必要がある。図１７に示すように、Ｖｃｃは画像形成装置と接続する電源で、Ｒ１は保護インピーダンスで、Ｒ２は電磁弁コイルのインピーダンスで、Ｌ１、Ｌ２は其々変圧器の一次コイルと二次コイルで、これらはすべてスィッチＳ１で電気回路のオンオフを制御することができる。